(57)【特許請求の範囲】
【請求項１】
雄ネジやリング状溝あるいはリング状凸部などから構成される雄側咬合部が形成された棒状体を挿通させる挿通孔が形成された把持用フランジ部、およびこの把持用フランジ部から立設され前記挿通孔の軸線に対して垂直な径方向に沿って前記挿通孔に通ずる案内溝が形成されたガイド部を備えたガイドベースと、
前記案内溝と摺動する摺動面、前記棒状体の雄側咬合部と咬合する雌ネジや円弧状凸部あるいは円弧状溝などから構成される雌側咬合面、およびこの雌側咬合面の背面側に設けられる被押動面を備えた締結駒と、
この締結駒を前記挿通孔から退避する方向に付勢する付勢部材と、
前記ガイドベースの外側で回転可能に配置されているとともに、前記締結駒の雌側咬合面を前記挿通孔内から軸線垂直方向に退避させ前記棒状体が挿通できる挿通状態にする退避部と、前記付勢部材に対抗して前記締結駒の被押動面を押動し前記雌側咬合面を前記挿通孔内に軸線垂直方向に進出させて前記雄側咬合部に咬合できる咬合状態に保持する咬合保持部とを周方向に備えた回転カバーと
を有することを特徴とする回転式着脱締結具。
【請求項２】
請求項１において、前記付勢部材は板バネから構成されており、この板バネの中央部を締結駒の背面に固定するとともに、その両端部を所定の付勢力を生ずるように湾曲または屈曲させて前記ガイドベースにおけるガイド部の外壁面に形成した板バネガイド溝に摺動可能に配置されていることを特徴とする回転式着脱締結具。
【請求項３】
請求項１または請求項２において、前記回転カバーの咬合保持部には、前記締結駒の被押動面との摺接開始位置になだらかな傾斜面が形成されていることを特徴とする回転式着脱締結具。
【請求項４】
請求項１から請求項３のいずれかにおいて、前記回転カバーの退避部は、前記締結駒が退出可能な大きさに開口された退避開口部として形成されていることを特徴とする回転式着脱締結具。
【発明の詳細な説明】
【技術分野】
【０００１】
本発明は、ボルト等の棒状体に対する締結具の締め付け作業や取り外し作業を簡単かつ迅速に行える締結具に関し、特に、雄ネジやリング状溝あるいはリング状凸部などから構成される雄側咬合部が形成された棒状体に対する咬合と咬合解除とをワンタッチで切り換えられる回転式着脱締結具に関するものである。
【背景技術】
【０００２】
従来より、ボルトに対する締結具の締め付け作業や取り外し作業を迅速に行うための締結具が提案されている。例えば、特許第３１８２６７８号公報に記載の簡易締結装置は、ボルトの挿入方向に向かって径が漸減した斜面を有するすり鉢状穴、およびこのすり鉢状穴と対面する半ドーナッツ形状部が形成されたベースと、すり鉢状穴に案内され軸方向の動きにつれて直径方向に拡縮するねじ駒と、ねじ駒を拡方向に付勢するばねと、ベースに対して移動可能に設けられ、ねじ駒の拡状態を保持すると共に、ベース方向への移動によってねじ駒を縮方向に移動させるキャップとを備えている（特許文献１）。
【０００３】
上記簡易締結装置は、通常状態では、ねじ駒がばねによって上方へ付勢されているとともに、ねじ駒のすり鉢形状部がキャップの半円錐形状部に嵌まり込み、拡がった状態で保持されている。このため、ねじ駒の雌ねじ部はボルトと噛み合わない状態に設定される。一方、ボルトに締結する場合、キャップをばねの付勢力に反して下方に押すことで、キャップの斜面にそってねじ駒がずり下がる。これにより、ねじ駒は縮方向に移動してボルトと噛み合う状態に設定されるようになっている。
【０００４】
【特許文献１】特許第３１８２６７８号公報
【発明の開示】
【発明が解決しようとする課題】
【０００５】
しかしながら、特許文献１に記載された発明においては、明細書にも記載されているとおり、ねじ駒の噛み込み力のみによってねじ駒とボルトとの締結がなされており、ねじ駒を保持する部材が存在しない。より具体的には、キャップを下方へ押し込んで回転することにより、ねじ駒とボルトを噛み合わせた後は前記キャップは上下方向にフリーな状態となり、ねじ駒を支持していない。ねじ駒の半円錐形状部はベースのガイド用の斜面に接しているが、支えられているものではない。このため、ねじ駒に軸線に沿って上方向の力や軸線に対して垂直方向の力に対する抗力が弱く、安全性な締結力を必要とする部材や大きな部材の締結には好ましくない。
【０００６】
また、螺合した後はキャップがフリーとなり、螺合力以外にばねの付勢力に対抗する力がないので、ねじ駒の噛み合い状態が緩みはじめると、ばねの付勢力によってねじ駒が拡方向に移動し易く、締結状態が簡単に解除されてしまうという問題もある。
【０００７】
また、特許文献１の簡易締結装置を使用する場合、ボルトに締め付ける際にキャップをばねの付勢力に対抗して押さえ付けながら六角形状のベースを回転方向に工具等を使って締め込まなければならず、決して作業効率がよいとはいえない。
【０００８】
本発明は、このような問題点を解決するためになされたものであって、回転カバーを所定角度回転させるだけで雄ネジやリング状溝あるいはリング状凸部などから構成される雄側咬合部が形成された棒状体に対する咬合と咬合解除とを容易に切り換えることができ、強い締結状態を保持することができる回転式着脱締結具を提供することを目的としている。
【課題を解決するための手段】
【０００９】
本発明に係る回転式着脱締結具の特徴は、雄ネジやリング状溝あるいはリング状凸部などから構成される雄側咬合部が形成された棒状体を挿通させる挿通孔が形成された把持用フランジ部、およびこの把持用フランジ部から立設され前記挿通孔の軸線に対して垂直な径方向に沿って前記挿通孔に通ずる案内溝が形成されたガイド部を備えたガイドベースと、前記案内溝と摺動する摺動面、前記棒状体の雄側咬合部と咬合する雌ネジや円弧状凸部あるいは円弧状溝などから構成される雌側咬合面、およびこの雌側咬合面の背面側に設けられる被押動面を備えた締結駒と、この締結駒を前記挿通孔から退避する方向に付勢する付勢部材と、前記ガイドベースの外側で回転可能に配置されているとともに、前記締結駒の雌側咬合面を前記挿通孔内から軸線垂直方向に退避させ前記棒状体が挿通できる挿通状態にする退避部と、前記付勢部材に対抗して前記締結駒の被押動面を押動し前記雌側咬合面を前記挿通孔内に軸線垂直方向に進出させて前記雄側咬合部に咬合できる咬合状態に保持する咬合保持部とを周方向に備えた回転カバーとを有する点にある。
【００１０】
また、本発明において、前記付勢部材は板バネから構成されており、この板バネの中央部を締結駒の背面に固定するとともに、その両端部を所定の付勢力を生ずるように湾曲または屈曲させて前記ガイドベースにおけるガイド部の外壁面に形成した板バネガイド溝に摺動可能に配置されていることが好ましい。
【００１１】
さらに、本発明において、前記回転カバーの咬合保持部には、前記締結駒の被押動面との摺接開始位置になだらかな傾斜面が形成されていることが好ましい。
【００１２】
また、本発明において、前記回転カバーの退避部は、前記締結駒が退出可能な大きさに開口された退避開口部として形成されていることが好ましい。
【発明の効果】
【００１３】
本発明によれば、回転カバーを所定角度回転させるだけで雄ネジやリング状溝あるいはリング状凸部などから構成される雄側咬合部が形成された棒状体に対する咬合と咬合解除とを容易に切り換えることができ、強い締結状態を保持することができる。
【発明を実施するための最良の形態】
【００１４】
以下、本発明に係る回転式着脱締結具の第１実施形態について図面を用いて説明する。図１から図６は、それぞれ本第１実施形態の回転式着脱締結具１Ａを示す斜視図、正面図、背面図、平面図、底面図および左側面図であり、図７から図９は、それぞれ図２における７Ａ−７Ａ線断面図、図６における８Ａ−８Ａ線および９Ａ−９Ａ線断面図である。
【００１５】
本第１実施形態の回転式着脱締結具１Ａは、主として、棒状体Ｂ１を挿通させる挿通孔２１を有するガイドベース２と、このガイドベース２にスライド自在に設けられる一対の締結駒３，３と、これら締結駒３，３を挿通孔２１から退避する方向に付勢する付勢部材４と、各締結駒３，３を挿通孔２１内に進退させる回転カバー５とから構成されている。なお、本第１実施形態の回転式着脱締結具１Ａは、ボルト等のように、雄ネジとして構成される雄側咬合部ｂ１が形成された棒状体Ｂ１に対し、咬合および咬合解除が可能に構成されている。
【００１６】
以下、各構成部についてより詳細に説明する。図１から図９に示すように、ガイドベース２は、挿通孔２１が形成された把持用フランジ部２２と、この把持用フランジ部２２から立設されたガイド部２３とを有している。把持用フランジ部２２は、その外形がスパナ等の工具によって把持されて締め付けられ易いように六角形に形成されており、その中心部に棒状体Ｂ１よりもわずかに大径の挿通孔２１が形成されている。もちろん六角形に限定されるものではなく、工具に合わせて形成されればよい。また、把持用フランジ部２２の上面には、ガイド部２３の外周に沿って回転カバー５を回転可能に嵌合させるための環状溝２２ａが形成されている。
【００１７】
また、ガイドベース２のガイド部２３は、挿通孔２１の軸線に対して垂直な径方向（以下、「軸線垂直方向」という）に沿って案内溝２４が形成されている。この案内溝２４は、挿通孔２１に通ずるように設けられており、締結駒３，３を挿通孔２１へと案内するようになっている。本第１実施形態では、図９に示すように、２つの凹状の案内溝２４が挿通孔２１を中心にして対向位置に形成されており、１対の締結駒３，３を軸線垂直方向に沿って挿通孔２１に進退させるように案内する。また、案内溝２４は把持用フランジ部２２上のガイド部２３にのみ形成してもよいが、本第１実施形態では前記把持用フランジ部２２の上面を削って形成されている。これは、工具で把持される把持用フランジ部２２を厚く形成しつつもガイド部２３の高さを低く抑える工夫である。
【００１８】
また、ガイド部２３の外壁面は、回転カバー５の内周面を摺動させられるように円弧状に形成されており、前記回転カバー５を円周方向に安定的に案内することができる。ただし、これは必須の形状ではなく、回転カバー５は環状溝２２ａに沿って回転できるのであるからこの回転を阻害しない形状であればよい。
【００１９】
さらに、ガイド部２３の外壁面には、円弧方向に沿って断面凹状の板バネガイド溝２５が帯状に形成されており、後述する付勢部材４である板バネ４の両端部が配置され、案内し得るようになっている。
【００２０】
また、ガイド部２３の内壁面の上縁には、回転カバー５と係合するストッパー板部２６が延出されている。このストッパー板部２６の上縁を外側に折り曲げることにより回転カバー５の上面に当接させられるようにし、当該回転カバー５が上方に抜けないように構成されている。
【００２１】
つぎに、締結駒３は、ガイドベース２上において軸線垂直方向に沿ってスライドし、挿通孔２１に対して進退可能に配置されるものである。締結駒３は、図９に示すように、案内溝２４内で摺動可能な大きさに形成されており、その両側面は案内溝２４の両溝側面と摺動する摺動面３１として構成されている。また、挿通孔２１に対面される前面には、雄ネジから構成される雄側咬合部ｂ１と螺合する雌ネジから構成される雌側咬合面３２が形成されており、この雌側咬合面３２の背面には、締結駒３を挿通孔２１内に進出させる際に押される被押動面３３が形成されている。被押動面３３は、略円弧状に形成されており、回転カバー５の湾曲された内壁によって円滑に押動されるようになっている。
【００２２】
つぎに、付勢部材４は、板バネ４から構成されており、図１や図９に示すように、その中央部が締結駒３の背面に固定されている。そして、その両端部が摺動面３１側に折り曲げられており、各ガイド部２３の外壁面に摺動するように形成されている。本第１実施形態では、ガイド部２３の外壁面に形成された板バネガイド溝２５内に板バネ４の両端部が配置されており、その帯状の板バネガイド溝２５に沿って板バネ４がたわみながら案内されるようになっている。
【００２３】
また、板バネ４の折り曲げ角度は、所定の付勢力が得られるように湾曲または屈曲されている。具体的には、締結駒３を挿通孔２１方向に押動すると、板バネ４が板バネガイド溝２５に沿って拡開し復元力を発生する。そして、この復元力により、締結駒３は挿通孔２１から退避する方向に付勢されるようになっている。このため、本第１実施形態では、締結駒３の雌側咬合面３２を挿通孔２１内から退避させる程度の付勢力が得られるように、板バネ４の折り曲げ角度が設定される。なお、本第１実施形態では、締結駒３の背面に板バネ４を嵌める溝が形成されており、この溝に板バネ４を嵌合させて、図１〜３に示すように、ポンチ加工によって締結駒３の背面縁部を延出させて固定している。なお、板バネ４を接着剤や溶接等によって固定してもよい。
【００２４】
つぎに、回転カバー５は、ガイド部２３を覆う大きさで下底が開口された円筒冠状に形成されており、上面には棒状体Ｂ１を挿通させる円形開口部５１が形成されている。また、回転カバー５の側壁には、締結駒３が退出可能な大きさに開口された退避開口部５２と、締結駒３を押動して保持するための咬合保持部５３が、周方向において約９０度間隔で形成されている。
【００２５】
回転カバー５の退避開口部５２は、締結駒３を退避させる役割を果たすものであり、図６および図９に示すように、締結駒３に対応させて２箇所に設けられている。なお、本第１実施形態では、回転式着脱締結具１Ａの外径寸法を小さくする目的で、回転カバー５の退避開口部５２を開口させているが、これに限られるものではなく、後述するように、回転カバー５の内壁面に締結駒３が退避させられるくぼみを形成して薄肉状の退避部として構成してもよい。
【００２６】
また、回転カバー５の咬合保持部５３は、周方向において各退避開口部５２の間に設けられており、締結駒３を所定量押動し得る程度の肉厚に形成されている。この咬合保持部５３の肉厚は、雌側咬合面３２を雄側咬合部ｂ１と咬合し得るように挿通孔２１内に進出させるとともに、ガイド部２３の外周面と摺動し得る程度に形成される。なお、咬合保持部５３は、締結駒３の被押動面３３と摺接を開始する位置に、なだらかな傾斜面５４が設けられており、締結駒の３の押動開始をスムーズにし、軽い力で押動できるようになっている。
【００２７】
したがって、回転カバー５を回転し、周方向において退避開口部５２を締結駒３に一致させると、板バネ４によって付勢された締結駒３が退避開口部５２内にスライド移動する。これにより、雌側咬合面３２が挿通孔２１内から軸線垂直方向に退避して棒状体Ｂ１が挿通できる挿通状態になる。一方、この挿通状態から約９０度回転カバー５を回転させると、咬合保持部５３によって押動された締結駒３が、板バネ４の付勢力に対抗して挿通孔２１側にスライド移動する。これにより、雌側咬合面３２が挿通孔２１内へ軸線垂直方向に進出し棒状体Ｂ１に咬合できる咬合状態（本第１実施形態では螺合状態ともいえる）に切り換えられる。
【００２８】
また、図１、図４および図８に示すように、回転カバー５はガイドベース２の環状溝２２ａに回転可能に嵌合されている。そして、ガイドベース２のストッパー板部２６が回転カバー５の円形開口部５１から延出し、外側に折り曲げられて当接できるようになっている。これにより、回転カバー５が上方向に抜けるのを防止する。一方、円形開口部５１の内周縁部には、内方に突出する２つの位置決め用突起５５，５５が形成されている。各位置決め用突起５５，５５の位置や大きさは、各ストッパー板部２６，２６の一端側に当接したときに挿通状態となるように設定され、各位置決め用突起５５，５５が各ストッパー板部２６，２６の他端側に当接したときに咬合状態となるように設定されている。
【００２９】
また、本第１実施形態では、回転カバー５の上面および外周面に回転方向およびその回転量を指し示すための印字がなされている。具体的には、図１から図４および図６に示すように、挿通状態に設定するための回転方向には、「Ｉｎ／Ｏｕｔ」の文字とともに矢印が記載され、咬合状態に設定するためのスライド方向には、「Ｆｉｘ」の文字とともに矢印が記載されている。そして、本第１実施形態では、挿通状態と咬合状態を切り換えるための回転角度として「９０°」の文字が記載されている。
【００３０】
なお、回転カバー５の外周には回転させる際に把持しやすいようにローレット等を形成してもよいし、外形形状を多角形状などにしてもよい。
【００３１】
つぎに、以上のような構成を備えた本第１実施形態における回転式着脱締結具１Ａの作用につき、図面を参照しつつ説明する。
【００３２】
まず、本第１実施形態の回転式着脱締結具１Ａによって、締結体Ｘに被締結物Ｙを締結する場合、図１０（ａ）に示すように、締結体Ｘおよび被締結物Ｙを連通する下穴Ｈにボルト等の棒状体Ｂ１を挿通する。一方、回転式着脱締結具１Ａについては、回転カバー５を回転させて挿通状態に設定する。具体的には、「Ｉｎ／Ｏｕｔ」の印字で示された方向に従って回転カバー５を約９０度回転させて、各位置決め用突起５５，５５が各ストッパー板部２６，２６の一端側に当接する。これにより、周方向において各退避開口部５２，５２が各締結駒３，３の被押動面３３に一致し、板バネ４によって付勢された各締結駒３，３が案内溝２４に沿って各退避開口部５２，５２内にスライドする。このため、図９に示すように、各雌側咬合面３２，３２が挿通孔２１内から軸線垂直方向に退避して棒状体Ｂ１が挿通できる挿通状態になる。
【００３３】
つづいて、挿通状態に設定された回転式着脱締結具１Ａを棒状体Ｂ１に挿通させる。このとき、回転式着脱締結具１Ａは、各雌側咬合面３２，３２が挿通孔２１内から退避しているため、棒状体Ｂ１の雄側咬合部ｂ１に咬合することなく無回転で挿通される。そして、図１０（ｂ）に示すように、回転式着脱締結具１Ａを被締結物Ｙの近傍まで一気に挿通させた後、回転カバー５を回転させて咬合状態に設定する。
【００３４】
具体的には、「Ｆｉｘ」の印字で示された方向に従って回転カバー５を約９０度回転させると、各位置決め用突起５５，５５が各ストッパー板部２６，２６の他端側に当接する。これにより、周方向において、各咬合保持部５３，５３が各締結駒３，３の被押動面３３に一致し、各咬合保持部５３，５３は板バネ４の付勢力に対抗して各締結駒３，３を案内溝２４に沿って挿通孔２１側にスライドさせる。このとき、咬合保持部５３に形成された傾斜面５４によって締結駒３の被押動面３３の押動を開始するため、締結駒３の縁部に引っ掛かることなく速やかにスライドできる。これにより、図１１および図１２に示すように、各雌側咬合面３２，３２が案内溝２４に沿って挿通孔２１内に進出し棒状体Ｂ１に咬合できる咬合状態となる。また、咬合保持部５３は、回転カバー５を逆方向に回転させない限り、締結駒３の被押動面３３を押圧し続けるため咬合状態を保持することができる。
【００３５】
つづいて、図１０（ｃ）に示すように、回転式着脱締結具１Ａの把持用フランジ部２２を工具によって締め付け方向にわずかに増し締めするだけで、各雌側咬合面３２，３２を介して棒状体Ｂ１に螺着でき、被締結物Ｙを締結体Ｘに強固に締め付けられる。
【００３６】
一方、上記のように締め付けた本第１実施形態の回転式着脱締結具１Ａを取り外す場合は、単に、回転カバー５を挿通状態にする方向に回転させる。これにより、板バネ４の付勢力によって各雌側咬合面３２，３２が挿通孔２１内から退避するため、棒状体Ｂ１との咬合が解除される。したがって、回転式着脱締結具１Ａを軽く持ち上げるだけで、棒状体Ｂ１に対して無回転で一気に取り外される。
【００３７】
以上のような本第１実施形態によれば、
１．回転カバー５を所定角度回転させるだけで棒状体Ｂ１との咬合および咬合解除を素早く切り替えることができ、締め付け作業や取り外し作業を簡単かつ迅速に行える。
２．回転カバー５によって締結駒３の咬合状態を保持しているため、咬合状態が解除されにくく締結力を高めることができる。
３．回転カバー５を所定角度回転させるだけで咬合状態と咬合解除状態とを完全に切り換えることができるため、切り換え作業が簡単であり、作業効率を向上することができる等の効果を奏する。
【００３８】
つぎに、本発明に係る回転式着脱締結具の第２実施形態について説明する。なお、本第２実施形態の構成のうち上述した第１実施形態の構成と同等または相当する構成については同一の符号を付し、再度の説明を省略する。
【００３９】
本第２実施形態の回転式着脱締結具１Ｂを図１３乃至図１８に示す。本第２実施形態の特徴は、締結駒３を退避させる構成として、第１実施形態では開口した退避開口部５２を形成していたが、本第２実施形態では、回転カバー５の側壁肉厚を薄くした薄肉状の退避部５６によって実現している。このような回転式着脱締結具１Ｂによれば、第１実施形態に比べると、回転カバー５が大きくなってしまうが、回転カバー６内にゴミ等が入り込むおそれがないというメリットを奏する。
【００４０】
さらに、本発明に係る第３実施形態として図１９に示すような回転式着脱締結具１Ｃを提案することができる。上述した各実施形態では、対向する２つの案内溝２４を形成し、対となる２つの締結駒３を配置しているが、本第３実施形態では、３つの案内溝２４を円周方向に等間隔で形成し、これら各案内溝２４に締結駒３を配置している。そして、回転カバー５を正逆方向に回転させることにより、締結駒３を軸線垂直方向である放射状に進退させる。
【００４１】
このような本第３実施形態の回転式着脱締結具１Ｃによれば、上述した実施形態の効果に加えて、所定の締結強度を保持しつつ、各雌側咬合面３２の円弧長さを短くすることができる。このため、各雌側咬合面３２の端部を挿通孔２１内から退避させるのに必要なスライド量を短くすることができ、よって回転式着脱締結具１Ｃの外径寸法を小さくすることができる。また、回転カバー７の咬合保持部５３と退避部５６との切り換え間隔を小さくできるため、小さな回転量で咬合状態と挿通状態とを切り換えることができる。
【００４２】
つぎに、本発明に係る回転式着脱締結具の第４実施形態および第５実施形態について説明する。なお、本第４実施形態および本第５実施形態の構成のうち、上述した各実施形態の構成と同等または相当する構成については同一の符号を付し、再度の説明を省略する。
【００４３】
本第４実施形態の回転式着脱締結具１Ｄの特徴は、図２０に示すように、リング状の溝から構成される雄側咬合部ｂ２が形成された棒状体Ｂ２に対し、咬合および咬合解除が可能に構成されている点にある。具体的には、締結駒３Ｄの雌側咬合面３２Ｄには、雄側咬合部ｂ２の溝に合致するように円弧状に突出された円弧状凸部３２Ｄ１が形成されている。したがって、回転カバー５を正逆方向に回転させると、締結駒３Ｄが軸線垂直方向に進退し、円弧状凸部３２Ｄ１が雄側咬合部ｂ２と咬合および咬合解除するようになっている。
【００４４】
また、本第５実施形態の回転式着脱締結具１Ｅの特徴は、図２１に示すように、リング状の凸部から構成される雄側咬合部ｂ３が形成された棒状体Ｂ３に対し、咬合および咬合解除が可能に構成されている点にある。具体的には、締結駒３Ｅの雌側咬合面３２Ｅには、雄側咬合部ｂ３のリング状凸形状と咬合する円弧状溝３２Ｅ１が形成されている。したがって、回転カバー５を正逆方向に回転させると、締結駒３Ｅが軸線垂直方向に進退し、円弧状溝３２Ｅ１が雄側咬合部ｂ３と咬合および咬合解除するようになっている。
【００４５】
以上のような本第４実施形態および本第５実施形態によれば、回転カバー５を回転させて締結駒３Ｄ，３Ｅと棒状体Ｂ２，Ｂ３との咬合状態を解除しない限り、回転式着脱締結具１Ｄ，１Ｅが棒状体Ｂ２，Ｂ３から離脱することがない。また、ネジによる螺合ではないため、増し締め作業が不要となり、締結作業を簡易化して迅速化することができる。このとき、増し締めする代わりに締結体との間にワッシャを挟めばよい。
【００４６】
なお、本発明に係る回転式着脱締結具は、上述した各実施形態に限定されるものではなく、適宜変更することができる。たとえば、締結駒３，３Ｄ，３Ｅの数は２つまたは３つに限定される必要はなく、１つあるいは４つ以上であってもよい。また、付勢部材４についても板バネ４が好ましいがこれに限定する必要はなく、締結駒３，３Ｄ，３Ｅを退避させられる付勢力を付与できるものであれば変更可能である。
【００４７】
また、上述した第４実施形態および第５実施形態では、雄側咬合部ｂ２，ｂ３が１つのリング状溝あるいはリング状凸部から構成される棒状体Ｂ２，Ｂ３について説明したが、これに限られるものではなく、２つ以上のリング状溝あるいはリング状凸部を有する棒状体Ｂ２，Ｂ３に咬合および咬合解除させるようにしてもよい。この場合、リング状溝あるいはリング状凸部の数に合わせて、締結駒３Ｄ，３Ｅの雌側咬合面３２Ｄ，３２Ｅに、円弧状凸部あるいは円弧状溝を形成すればよい。これにより、締結力を向上させることができる。
【図面の簡単な説明】
【００４８】
【図１】本発明に係る回転式着脱締結具の第１実施形態を示す斜視図である。
【図２】本第１実施形態の回転式着脱締結具を示す正面図である。
【図３】図２の背面図である。
【図４】図２の平面図である。
【図５】図２の底面図である。
【図６】図２の左側面図である。
【図７】図２における７Ａ−７Ａ線断面図である。
【図８】図６における８Ａ−８Ａ線断面図である。
【図９】図６における９Ａ−９Ａ線断面図である。
【図１０】本第１実施形態の回転式着脱締結具を締結する際の使用方法を示す説明図である。
【図１１】本第１実施形態の回転式着脱締結具が咬合状態に設定されたときの図２における７Ａ−７Ａ線断面図である。
【図１２】本第１実施形態の回転式着脱締結具が咬合状態に設定されたときの図６における９Ａ−９Ａ線断面図である。
【図１３】本発明に係る回転式着脱締結具の第２実施形態を示す斜視図である。
【図１４】本第２実施形態の回転式着脱締結具を示す正面図である。
【図１５】図１４の左側面図である。
【図１６】図１４における１６Ａ−１６Ａ線断面図である。
【図１７】図１５における１７Ａ−１７Ａ線断面図である。
【図１８】図１５における１８Ａ−１８Ａ線断面図である。
【図１９】本発明に係る回転式着脱締結具の第３実施形態を示す平面断面図である。
【図２０】本発明に係る回転式着脱締結具の第４実施形態を示す側面断面図である。
【図２１】本発明に係る回転式着脱締結具の第５実施形態を示す側面断面図である。
【符号の説明】
【００４９】
１Ａ，１Ｂ，１Ｃ，１Ｄ，１Ｅ  回転式着脱締結具
２  ガイドベース
３，３Ｄ，３Ｅ  締結駒
４  付勢部材（板バネ）
５，６，７  回転カバー
２１  挿通孔
２２  把持用フランジ部
２２ａ  環状溝
２３  ガイド部
２４  案内溝
２５  板バネガイド溝
２６  ストッパー板部
３１  摺動面
３２，３２Ｄ，３２Ｅ  雌側咬合面
３２Ｄ１  円弧状凸部
３２Ｅ１  円弧状溝
３３  被押動面
５１  円形開口部
５２  退避開口部
５３  咬合保持部
５４  傾斜面
５５  位置決め用突起
５６  退避部
Ｂ１，Ｂ２，Ｂ３  棒状体
ｂ１  雄側咬合部（雄ネジ）
ｂ２  雄側咬合部（リング状溝）
ｂ３  雄側咬合部（リング状凸部）
Ｈ  下穴
Ｘ  締結体
Ｙ  被締結物
【図１】
0004517243.tif 000002
【図２】
0004517243.tif 000003
【図３】
0004517243.tif 000004
【図４】
0004517243.tif 000005
【図５】
0004517243.tif 000006
【図６】
0004517243.tif 000007
【図７】
0004517243.tif 000008
【図８】
0004517243.tif 000009
【図９】
0004517243.tif 000010
【図１０】
0004517243.tif 000011
【図１１】
0004517243.tif 000012
【図１２】
0004517243.tif 000013
【図１３】
0004517243.tif 000014
【図１４】
0004517243.tif 000015
【図１５】
0004517243.tif 000016
【図１６】
0004517243.tif 000017
【図１７】
0004517243.tif 000018
【図１８】
0004517243.tif 000019
【図１９】
0004517243.tif 000020
【図２０】
0004517243.tif 000021
【図２１】
0004517243.tif 000022